(57)【特許請求の範囲】
【請求項１】
圧迫衣類を着用および脱衣するための装置であって、前記装置が、
第１のスリーブ開口部、第２のスリーブ開口部、内面、および外面を有する構成のスリーブであって、前記第１のスリーブ開口部、前記内面、および前記第２のスリーブ開口部が協働して肢体のための前記スリーブを通る通路を画定し、前記内面および前記外面が、連続する可撓性材料から形成されそれによって画定され、前記圧迫衣類のうちの前記少なくとも１つの開口部の反対側の端部が前記第１のスリーブ開口部に接するまで、前記スリーブを通して前記圧迫衣類を連続して外転できるように、前記外面のうちの前記第２のスリーブ開口部が前記圧迫衣類の少なくとも１つの開口部と接触するように構成されている、スリーブと、
前記圧迫衣類を受容し、かつ前記圧迫衣類の外転の最中に前記スリーブを支持および案内するように構成されたポールと、
を具備する、装置。
【請求項２】
前記ポールから離れるように前記スリーブを外転させる力を与えるように構成されたストラップをさらに具備する、請求項１に記載の装置。
【請求項３】
圧迫衣類を着用および脱衣するための装置であって、前記装置が、
第１のスリーブ開口部、第２のスリーブ開口部、内面、および外面を有する構成のスリーブを具備し、
前記第１のスリーブ開口部、前記内面、および前記第２のスリーブ開口部が協働して肢体のための前記スリーブを通る通路を画定し、
前記内面および前記外面が、連続する可撓性材料から形成されそれによって画定され、
前記圧迫衣類のうちの前記少なくとも１つの開口部の反対側の端部が前記第１のスリーブ開口部に接するまで、前記スリーブを通して前記圧迫衣類を連続して外転できるように、前記外面のうちの前記第２のスリーブ開口部が前記圧迫衣類の少なくとも１つの開口部と接触するように構成され、
前記スリーブが、粉体、パラフィン・ゼリー、またはガラス・ビーズのうちの少なくとも１つで充填される、装置。
【請求項４】
前記ポールが、圧迫衣類よりも長い長さだけ延在し、前記ストラップがポールの長さの少なくとも２倍である、請求項２に記載の装置。
【請求項５】
圧迫衣類を着用および脱衣するための装置であって、前記装置が、
第１のスリーブ開口部、第２のスリーブ開口部、内面、および外面を有する構成のスリーブを具備し、
前記第１のスリーブ開口部、前記内面、および前記第２のスリーブ開口部が協働して肢体のための前記スリーブを通る通路を画定し、
前記内面および前記外面が、連続する可撓性材料から形成されそれによって画定され、
前記圧迫衣類のうちの前記少なくとも１つの開口部の反対側の端部が前記第１のスリーブ開口部に接するまで、前記スリーブを通して前記圧迫衣類を連続して外転できるように、前記外面のうちの前記第２のスリーブ開口部が前記圧迫衣類の少なくとも１つの開口部と接触するように構成され、
前記スリーブが、前記内面および前記外面から延在する複数の隆起ラインを有する構成になっている、装置。
【請求項６】
請求項１に記載の装置のスリーブと圧迫衣類とを結合させるための方法であって、前記方法が、
請求項１に記載の装置のポールを覆うように前記圧迫衣類を配置することと、
前記圧迫衣類が前記スリーブと前記ポールとの間に配置されるように、前記ポールに沿って第１の方向に前記スリーブを外転させることと、
前記圧迫衣類の端部を前記スリーブ内に折り込むことと、
前記圧迫衣類が前記スリーブの周りに巻き付くように、前記スリーブを前記ポールに沿って前記第１の方向の反対側の第２の方向に外転させることと、
を含む、方法。
【請求項７】
前記スリーブを前記ポールに沿って前記第２の方向に外転させることが、前記圧迫衣類と前記ポールとの間に配設されたストラップによって実現される、請求項６に記載の方法。
【請求項８】
圧迫衣類を着用する方法であって、前記方法が、
第１のスリーブ開口部、第２のスリーブ開口部、内面、および外面を有するスリーブを用意することであって、前記第１のスリーブ開口部、前記内面、および前記第２のスリーブ開口部が協働して肢体のための前記スリーブを通る通路を画定し、前記内面および前記外面が、連続する可撓性材料から形成されることと、
少なくとも１つの開口部をその一端部に有する圧迫衣類を用意することと、
ある面から延在するポールを用意することと、
前記圧迫衣類が前記ポールを覆うように完全に延在するまで前記ポールを覆って前記少なくとも１つの開口部を摺動させることと、
前記ポールのうちの前記面の反対側の部分に第２のスリーブ開口部を配置することと、
前記ポールを覆うように前記スリーブをスライドさせ、それにより、前記内面が前記第２のスリーブ開口部において前記外面になり前記外面が前記第１のスリーブ開口部において前記内面になるように、前記連続する可撓性材料を外転させることと、
前記スリーブが前記少なくとも１つの開口部に到達するときに、前記少なくとも１つの開口部を引っ張って、前記第２のスリーブ開口部において前記外面に前記少なくとも１つの開口部を接触させることと、
前記面から離れる方に前記スリーブを持ち上げ、それにより、前記内面が前記第１のスリーブ開口部において前記外面になり前記外面が前記第２のスリーブ開口部において前記内面になるように、前記連続する可撓性材料を外転させ、前記圧迫衣類が前記ポールから完全に除去されるまで前記持ち上がるステップが継続し、前記圧迫衣類のうちの前記少なくとも１つの開口部の反対側の端部が前記第１のスリーブ開口部に接することと、
前記第１のスリーブ開口部を患者の肢体を覆うように配置することと、
前記スリーブを前記患者の肢体に沿って上に転がし、それにより前記内面および前記外面を外転させ、それにより前記圧迫衣類を前記肢体に残すことと、
前記少なくとも１つの開口部を前記第２のスリーブ開口部から外すことと、
前記肢体から除去されるまで前記スリーブを前記肢体に沿って下向きに元通りに転がすことと、
を含む、方法。
【請求項９】
前記スリーブが、前記内面および前記外面から外側に延在する、長手方向に連続しかつ平行な隆起ラインを複数具備する、請求項８に記載の方法。
【請求項１０】
前記スリーブが、前記圧迫衣類の外転を容易にするための流体を充填されている、請求項８に記載の方法。
【請求項１１】
前記流体が、水、水溶液、油、空気、フォーム、ウレタン、シリコン、石鹸、または潤滑剤のうちの少なくとも１つである、請求項１０に記載の方法。
【請求項１２】
前記ポールから離れるように前記スリーブを外転させるときに、前記少なくとも１つの開口部を前記第１のスリーブ開口部中に折り込むことをさらに含む、請求項８に記載の方法。
【請求項１３】
ストラップを前記ポールのうちの前記面の反対側に配置することであって、前記ストラップが、前記圧迫衣類が前記ポールに配置された後で前記ストラップの両端が前記少なくとも１つの開口部から延在するのに十分に長いことと、
前記ストラップの端部を把持し、前記ポールから除去されるまで前記スリーブを外転させるように力を加えることと、
をさらに含む、請求項８に記載の方法。
【請求項１４】
前記ストラップが留め具によって前記ポールに結合される、請求項１３に記載の方法。
【請求項１５】
圧迫衣類を着用および脱衣するための装置であって、前記装置が、
トロイド形として完全に形成される連続する可撓性材料を含み、かつ内面および外面を有するスリーブを具備し、
前記トロイド形が、前記圧迫衣類が前記トロイド形の上に連続して外転させることができるように、前記トロイド形が、前記圧迫衣類の少なくとも１つの開口部と接触するように構成され、
前記スリーブの全体が、前記内面と前記外面との間で摩擦を低下させるために、パラシリコン・コーティング、フルオロポリマー・コーティング、またはポリマー・コーティングのうちの少なくとも１つによってコートされる、装置。
【請求項１６】
前記スリーブが、粉体、パラフィン・ゼリー、またはガラス・ビーズのうちの少なくとも１つで充填される、請求項１５に記載の装置。
【請求項１７】
前記スリーブが、液体を充填されている、請求項１５に記載の装置。
【請求項１８】
圧迫衣類を着用および脱衣するための装置であって、前記装置が、
トロイド形を有し、連続する可撓性材料から形成され、かつ内面および外面を有するスリーブを具備し、
前記トロイド形が、前記圧迫衣類が前記スリーブ上に連続して外転させることができるように、前記圧迫衣類の少なくとも１つの開口部と接触するように構成され、
前記スリーブの全体が、前記内面と前記外面との間で摩擦を低下させるために、パラシリコン・コーティング、フルオロポリマー・コーティング、またはポリマー・コーティングのうちの少なくとも１つによってコートされる、装置。
【請求項１９】
前記スリーブが、粉体、パラフィン・ゼリー、およびガラス・ビーズのうちの１つを充填されている、請求項１８に記載の装置。
【請求項２０】
前記スリーブが、液体を充填されている、請求項１８に記載の装置。
【発明の詳細な説明】
【技術分野】
【０００１】
本開示は、概して、体に対する圧迫衣類の装着および除去に関する。
【背景技術】
【０００２】
圧迫衣類とは、伸縮性のある材料から作製された、靴下、パンティストッキング、スリーブ、および／または同様のものなどの衣服である。圧迫衣類は下にある組織をサポートする。こうしたサポートは、長時間立っていなければならない人に、または循環の悪い人が術後に凝血を予防する場合に、さらにアスリートにとって特に有用である。それらの衣類は、圧迫の程度を変更できるようになっている。圧迫の程度が高いのもには通常医師の処方箋が必要である。下肢に着る圧迫衣類により、特に旅行中の、深部静脈血栓症の予防および腫脹の低減を助けることができる。
【発明の概要】
【発明が解決しようとする課題】
【０００３】
しかし、圧迫衣類を装着または除去することは、できたとしても難しく、高齢者または身体障害者には不可能である恐れがある。家族、看護師、または準看護師などの介護者の助けがあってもこうした作業は非常に難しいことが多い。したがって、圧迫衣類および／または他の同様の衣類を装着および／または除去するための改良型の機構および技法が依然として望まれる。
【課題を解決するための手段】
【０００４】
本開示は、衣類の着用および脱衣に関する。例示的一実施形態において、圧迫衣類を着用および脱衣する装置が、第１のスリーブ開口部、第２のスリーブ開口部、内面、および外面を有する構成のスリーブを具備する。第１のスリーブ開口部、内面、および第２のスリーブ開口部が協働して肢体のためのスリーブを通る通路を画定する。それらの内面および外面は、連続する可撓性材料から形成されそれによって画定される。圧迫衣類のうちの少なくとも１つの開口部の反対側の端部が第１のスリーブ開口部に接するまで、スリーブを通して圧迫衣類を連続して外転できるように、外面のうちの第２のスリーブ開口部の部分が圧迫衣類の少なくとも１つの開口部と接触するように構成されている。
【０００５】
別の例示的実施形態において、スリーブと圧迫衣類を互いに結合する方法が、ポールを覆うように圧迫衣類を配置するステップと、前記圧迫衣類が前記スリーブと前記ポールとの間に位置するようにポールに沿って第１の方向にスリーブを外転させるステップと、前記圧迫衣類の端部をスリーブ中に折り込むステップと、圧迫衣類をスリーブの周りに巻き付けるようにポールに沿って第１の方向の反対の第２の方向にスリーブを外転させるステップとを含む。
【０００６】
別の例示的実施形態において、圧迫衣類を着用する方法が、第１のスリーブ開口部、第２のスリーブ開口部、内面、および外面を有するスリーブを用意するステップであって、第１のスリーブ開口部、内面、および第２のスリーブ開口部が協働して肢体のためのスリーブを通る通路を画定する、ステップを含む。内面および外面は連続する可撓性材料から形成される。その方法はさらに、少なくとも１つの開口部をその一端部に有する圧迫衣類を用意するステップと、ある面から延在するポールを用意するステップと、圧迫衣類がポールを覆うように完全に延在するまでポールを覆って少なくとも１つの開口部を摺動させるステップと、ポールのうちの面の反対側の部分に第２のスリーブ開口部を配置するステップと、ポールを覆うようにスリーブを摺動させ、それにより、内面が第２の開口部において外面になり外面が第１の開口部において内面になるように、連続する可撓性材料を外転させるステップとを含む。その方法はさらに、スリーブが少なくとも１つの開口部に到達するときに、少なくとも１つの開口部を引っ張って、第２のスリーブ開口部において外面に接触させるステップと、その面から離れる方にスリーブを持ち上げ、それにより、内面が第１の開口部において外面になり外面が第２の開口部において内面になるように、連続する可撓性材料を外転させるステップとを含む。その持ち上げるステップが、圧迫衣類が完全にポールから除去されるまで継続し、圧迫衣類のうちの少なくとも１つの開口部の反対側の端部が第１の開口部に接する。その方法はさらに、患者の肢体を覆うように第１のスリーブ開口部を配置するステップと、スリーブを患者の肢体に沿って上に転がし、それにより、内面および外面が外転し、それにより、圧迫衣類を肢体上に残すステップと、少なくとも１つの開口部を第２のスリーブ開口部から外すステップと、肢体から除去されるまで肢体に沿って下にスリーブを元通りに転がすステップとを含む。
【０００７】
別の例示的実施形態において、肢体から圧迫衣類を脱衣する方法が、第１のスリーブ開口部、第２のスリーブ開口部、内面、および外面を有するスリーブを用意するステップであって、第１のスリーブ開口部、内面、および第２のスリーブ開口部が協働して肢体のためのスリーブを通る通路を画定し、内面および外面が連続する可撓性材料から形成されそれによって画定されるステップを含む。その方法はさらに、肢体上に第１の開口部を配置するステップと、肢体を覆うようにスリーブをスライドさせ、それにより、内面が第１の開口部において外面になり外面が第２の開口部において内面になるように、連続する可撓性材料を外転させるステップと、スリーブが少なくとも１つの開口部に到達するときに、圧迫衣類の少なくとも１つの開口部を引っ張って、第１のスリーブ開口部において外面に接触させるステップと、スリーブをその面から離れる方に持ち上げ、それにより、内面が第２の開口部において外面になり外面が第１の開口部において内面になるように、連続する可撓性材料を外転させ、圧迫衣類が肢体から完全に除去されるまでこの持ち上げステップが継続し、圧迫衣類のうちの少なくとも１つの開口部の反対側の端部が第２のスリーブ開口部に接する、ステップとを含む。
【０００８】
この発明の概要の部分は、本開示への単純化した導入部としてのみ提示され、添付の特許請求の範囲を限定するために用いられるものではない。
【０００９】
以下の説明、添付の特許請求の範囲、および添付の図面を参照する。
【図面の簡単な説明】
【００１０】
【図１】例示的一実施形態による衣類着用および／または脱衣システムを示す。
【図２】例示的一実施形態による衣類着用および／または脱衣システムを示す。
【図３】例示的一実施形態によるポールとストラップとの組み合わせを示す。
【図４】例示的一実施形態に従って、ポールとストラップとの組み合わせを覆うようにユーザが圧迫ストッキングを摺動させているところを示す。
【図５】例示的一実施形態に従って、ポールとストラップとの組み合わせ上で完全に定位置にある圧迫ストッキングを示す。
【図６】例示的一実施形態に従って、ポール、ストラップ、および圧迫ストッキングの組み合わせの上部にスリーブが配置されているところを示す。
【図７】例示的一実施形態に従って、ポール、ストラップ、および圧迫ストッキングの底部にスリーブが配置され、圧迫ストッキングの開口部の対抗する両側をユーザが把持しているとこを示す。
【図８】例示的一実施形態に従って、ユーザが圧迫ストッキングの開口部およびスリーブをポールの約半分の位置まで持ち上げ、ユーザが圧迫ストッキングの開口部を上にスリーブの開口部に向けて折り曲げているところを示す。
【図９】例示的一実施形態に従って、スリーブの周りに圧迫ストッキングを完全に巻き付けるようにユーザがストラップを上に引っ張っているところを示す。
【図１０】例示的一実施形態に従って、ユーザが、患者の足に圧迫ストッキングと組み合わせたスリーブを、圧迫ストッキングのつま先を患者のつま先に合わせて配置しているところを示す。
【図１１】例示的一実施形態に従って、ユーザが、スリーブと圧迫ストッキングの組み合わせを患者の脚に沿って上に転がすところを示す。
【図１２】例示的一実施形態に従って、ユーザがスリーブと圧迫ストッキングの組み合わせを患者の膝に配置するところを示す。
【図１３】例示的一実施形態に従って、ユーザが圧迫ストッキングの開口部を肢体から外しているところを示す。
【図１４】例示的一実施形態に従って、ユーザがスリーブを患者の脚から除去し、圧迫ストッキングを患者の脚に残すところを示す。
【図１５】例示的一実施形態に従った水平ポールに関連した圧迫衣類およびスリーブの使用を示す。
【図１６】例示的一実施形態による任意選択のスカートを利用する例示的なスリーブの変形体を示す。
【発明を実施するための形態】
【００１１】
以下の説明は、単に様々な例示的実施形態のものであり、本開示の範囲、応用範囲、または構成を決して限定する意図はない。以下の説明は、むしろ、最良のモードを含む様々な実施形態を具現化するための好都合な例示を提示することが意図される。明らかになるように、それらの実施形態で説明する要素の機能および構成には、本開示の範囲から逸脱することなく様々な変更を行うことができる。
【００１２】
簡潔にするために、衣類の着用、脱衣、製造、使用および／または同様のものに関する従来の技法は本明細書では詳細に説明しないことがある。さらに、本明細書に含まれる様々な図に示す接続線は、様々な要素間における、例示的な機能上の関係ならびに／または物理的結合および／もしくは通信上の結合を表すことが意図される。多数の代替形態または追加の機能上の関係、物理的な接続、および／もしくは通信上の関係が実際の衣類の着用および／または脱衣システムまたはデバイスに存在することがあることに留意されたい。
【００１３】
圧迫衣類は、特に身体的に障害のある患者にとっては、着用および脱衣が難しいことが多い。さらに、そうした衣類によって圧縮力が加えられるので、着用および／または脱衣中に、それらの圧迫衣類がその下にある包帯もしくは他の服または医療器具を乱してしまうことがある。これらの難点および他の難点のせいで、患者および／または介護者がこうした圧迫衣類を意図した通りに使用することが難しくて苦労するので、圧迫衣類の様々な治療上の利益は多くの場合実現されないままである。圧迫衣類を定位置に適切に置きかつ／または除去することが難しいので、圧迫衣類を完全に着るのを患者があきらめてしまうことも多い。
【００１４】
本開示の原理によれば、衣類着用システムは、衣類、例えば圧迫衣類の着用および／または脱衣を容易にするように構成されたどんなシステムでもよい。次に、図１を参照すると、例示的一実施形態において、衣類着用システム１０１は、外転構成要素１０１Ａおよびガイド構成要素１０１Ｂを具備する。外転構成要素１０１Ａは、外転プロセス（例えば、衣類または他の物体を少なくとも部分的に「裏返し」にするプロセス）によって、圧迫衣類を受容および／または解放するように構成されている。ガイド構成要素１０１Ｂは、外転プロセス中に外転構成要素１０１Ａおよび／または関連の圧迫衣類を支持および／または案内するように構成されている。
【００１５】
次に図２に移ると、例示的一実施形態によれば、衣類着用システム１０１は、外転構成要素（例えば、スリーブ１０）およびガイド構成要素（例えば、ポール２６）を具備する。様々な例示的実施形態において、衣類着用システム１０１はさらに、ストラップ４０を具備する。スリーブ１０は、外転プロセスによって圧迫衣類を受容および／または解放するように構成されている。ポール２６は、外転プロセス中にスリーブ１０および／または圧迫衣類を支持および／または案内するように構成されている。ストラップ４０は、例えばポール２６に沿って、スリーブ１０を外転させる力を与えるように構成されている。
【００１６】
次に図６を参照すると、様々な例示的実施形態において、スリーブ１０は、可撓性の概してトロイド形の構造から構成される。さらに、スリーブ１０は、スリーブ１０が内面および外面を有し、通路を画定する開口部を２つ有するような、任意の適切な構成から構成される。例示的一実施形態において、スリーブ１０は、第１のスリーブ開口部１２、第２のスリーブ開口部１４、内面１６、および外面１８を有する構成になっている。第１のスリーブ開口部１２、内面１６、および第２のスリーブ開口部１４が協働して、スリーブ１０を通る通路２０を画定する。通路２０は、その中をヒトの肢体が貫通できるような適切な寸法のものでよい。
【００１７】
様々な例示的実施形態において、内面１６および外面１８は、連続する可撓性材料２２から形成されそれによって画定される。材料２２には、シリコン、熱可塑性エラストマー（例えば、スチレン系ブロック共重合体、ポリオレフィンのブレンド、エラストマー合金、熱可塑性ポリウレタン、熱可塑性コポリエステル、熱可塑性ポリアミド、および／または同様のもの）、ゴム、もしくは他の任意の適切な可撓性材料、または材料の組み合わせが含まれることがある。可撓性材料２２は、スリーブ１０全体を構成する、特定のショア硬さおよび／またはいくつかのショア硬さの組み合わせを有するゲル状物質でもよい。連続する可撓性材料２２は、肢体を覆ってスリーブ１０を運ぶのに十分に可撓性がある。
【００１８】
様々な例示的実施形態において、スリーブ１０はさらに、連続する可撓性材料２２内に収容した流体７０を具備する。流体７０は概して、２つの目的、つまり作動および潤滑に役立つ。流体７０は、水、水溶液、油、空気、フォーム、ウレタン、シリコン、潤滑剤、石鹸および／または所望の特性を有することができる他の任意の材料でよい。スリーブ１０はさらに、内面１６と外面１８との間の摩擦を軽減するために、流体７０の他に、ビーズ、例えば概して球形のガラス・ビーズまたはプラスチック製ビーズの懸濁液で充填することができる。特定の例示的実施形態において、スリーブ１０は、注入／排出ポート１０２を有する構成になっており、その注入／排出ポート１０２により、通路２０のサイズおよび移動時の効率を改善することができる。例示的一実施形態において、一時的に図１４を参照すると、注入／排出ポート１０２は、ある角度でスリーブ１０に挿入されたシリンジを具備する。可撓性材料２２は、シリンジサイズの孔の周りで自己密封することができる。さらに、注入／排出ポート１０２は、任意の適切な構成要素および／またはいくつかの構成要素の組み合わせ具備することができ、それらは、流体もしくは他の材料のスリーブ１０に対する追加および／または除去を可能にするように構成されている。さらに、様々な例示的実施形態において、作動液または流体を低減させかつ／または無くすために、スリーブ１０は、ポリマー・コーティング、フルオロポリマー・コーティング（例えば、ポリテトラフルオロエチレン「Ｔｅｆｌｏｎ（商標）」、ペルフルオルアルコキシ、および／または同様のもの）、パラシリコン、および／または他の適切なコーティングを有する構成にすることができる。
【００１９】
様々な例示的実施形態において、スリーブ１０を、流体以外の物質、例えば、ビーズ、粉体、パラフィン・ゼリー、および／もしくは同様のもの、またはそれらの組み合わせで充填することができる。例示的一実施形態において、スリーブ１０は粉体で充填される。別の例示的実施形態において、スリーブ１０はパラフィン・ゼリーで充填される。別の例示的実施形態において、スリーブ１０は粉体およびパラフィン・ゼリーで充填される。スリーブ１０を充填する１つまたは複数の材料および／またはその比は、所望の圧迫、患者の肢体のサイズ、および／または他の適切な要因に従って選択することができる。スリーブ１０内の流体の量を制限することによって、商業上の航空機による移動に関する要件、例えば機内持ち込みの流体の体積に関連した保安要件に準拠するようにスリーブ１０を構成することができる。
【００２０】
例示的一実施形態において、長手方向に連続しかつ互いに平行な隆起ライン２４が複数、内面１６および外面１８から外側に延在する。いくつかの例示的実施形態において、ライン２４は、（例えば図６および図７に示すような）概してトロイド形または他の形状のスリーブ１０の中心軸に概して平行に延在する。他の例示的実施形態において、ライン２４は、そのトロイドの中心軸に概して垂直に延在する。さらに、ライン２４は、所望に応じて、斜めに、湾曲して、かつ／または他の任意の適切な配列および／もしくは構成で延在してもよい。
【００２１】
様々な例示的実施形態において、ライン２４は、約２ｍｍから約２４ｍｍ互いから離間している。様々な例示的実施形態において、ライン２４は、内面１６および外面１８の上方に約０．５ｍｍから約５ｍｍ隆起している。さらに、ライン２４は、離間し、隆起し、かつ／または任意の適切な形に別法で構成することもできる。
【００２２】
続けて図６を参照すると、例示的一実施形態において、複数の長手方向に連続しかつ平行なライン２４のうちの少なくとも１つは継目１００である。この例示的実施形態では、継目１００は、ライン２４に概して平行な方向に延在する。他の例示的実施形態において、継目１００は、ライン２４を概して横断する方向に延在する。さらに、継目１００は、肢体を覆うようにスリーブ１０を運ぶことを容易にするように構成することができる。例えば、例示的一実施形態において、継目１００は、足の後面よりも移動させる距離が短い足の前面においてスリーブ１０を厚くするように構成され、その結果、スリーブ１０が足を覆って滑らかに運ばれる。スリーブ１０は、単一の継目１００を有する構成にすることができ、さらに、複数の継目１００を有する構成にすることができる。例示的一実施形態において、スリーブ１０はモールド成型によって形成される。さらに、シームレスの構築法を含む任意の適切な方法でスリーブ１０を形成することができる。
【００２３】
例示的一実施形態において、スリーブ１０を最初のモールド型から取り外し、次いで、例えば熱および／または接着剤でスリーブ１０の端部同士をシールすることによって、長手方向の継目１００を有するスリーブ１０を構築することができる。例示的一実施形態において、フレームおよび／またはクランプを利用して、スリーブ１０のシーリングを容易にすることができる。さらに、流体７０を、スリーブ１０をシーリングするときの剥離剤および／または補剛材として利用することができる。例えば、スリーブ１０を部分的に流体７０で充填し、次いで、スリーブ１０の端部を接合およびクランプ留めすることができる。さらに、任意の適切な形でおよび／または任意の適切な機構によって、スリーブ１０を、形成し、充填し、かつ／または別法で構築することができる。
【００２４】
次に図３および図４に移ると、様々な例示的実施形態において、ポール２６に関連してスリーブ１０を利用することができる。ポール２６を、任意の適切な材料、例えば、金属、プラスチック、および／または同様のものから構成することができる。ポール２６は、任意の適切な長さおよび／または他の寸法を有する構成にすることができる。例示的一実施形態において、ポール２６の長さは約１２インチから約４８インチである。様々な例示的実施形態において、ポール２６は、肢体に使用するのに望まれる圧迫衣類の長さよりも長くなるように構成される。
【００２５】
ポール２６をベース・マウント２８に結合することができる。例示的一実施形態において、ベース・マウント２８は吸引レバー３０を有する構成になっている。ベース・マウント２８が平坦で滑らかな面に配置されると、ポール２６を定位置に保持するためにユーザ３２が吸引レバー３０を作動させることができる。さらに、着脱可能かつ／または永久にポール２６を定位置に固着させるための任意の適切な構成要素および／または方法を利用することができる。さらに、ポール２６は、ポール２６を定期的に利用することがある場所に、例えば病院のナース・ステーション、病院のベッドのフレーム、および／または同様のものに、搭載および／またはそこから形成することができる。
【００２６】
次に、一時的に図１６を参照すると、例示的一実施形態において、スリーブ１０はスカート１０３を有する構成になっている。スカート１０３は、スリーブ１０のうちのより伸縮性の高い部分または伸縮性の低い部分として機能して、特定の点においてスリーブ１０が外転に対してより抵抗性が高くなるかまたは抵抗性が低くなるように構成することができる。さらに、スカート１０３はスリーブ１０の表面から延在してもよい。スカート１０３は、圧迫衣類５０をスリーブ１０に取り付けるのを助けるリテーナとして働くことができる。さらに、スカート１０３は、例えばスリーブ１０の外転方向が反転するときに肢体６０を捕捉することによってスリーブ１０を所望の位置に維持するように働くこともできる。任意の適切な数のスカート１０３をスリーブ１０に設けてもよい。さらに、スカート１０３は、外転プロセス中にスリーブ１０の移動方向に垂直な面内で動作することができる。スカート１０３の使用によって、例えばポール２６、肢体６０、および／または同様のものに対して所望の位置に、スリーブ１０をより効率よく配置および／または固定することができる。
【００２７】
例示的一実施形態において、次に図３および図４に戻ると、ポール２６にはストラップ４０が結合されている。ストラップ４０は、ポール２６のうちのベース・ユニット２８の反対側の部分に心合わせすることができる。（例えば、図３に示すように）ストラップ４０の中心をポール２６に固定するためにスナップなどの留め具４２が設けられる。さらに、任意の適切な位置にかつ／または任意の適切な構成要素もしくは手段によって、ストラップ４０をポール２６に結合することができる。様々な例示的実施形態において、ストラップ４０は、ポール２６のうちのストラップ４０が搭載されている方の端部の反対側の端部を越えてストラップ４０の各端部４１が延在するのに十分な長さのものである。別の表現では、ストラップ４０は、ポール２６を完全に覆って圧迫ストッキング５０を摺動させるときに圧迫ストッキング５０の肢体開口部５２から延在するのに十分に長い。
【００２８】
次に、図４を参照すると、様々な例示的実施形態において、スリーブ１０およびポール２６に関連して圧迫衣類、例えば圧迫ストッキング５０を利用することができる。理解されるように、圧迫ストッキング５０の使用は本質的に例示的であり、本開示の原理に従って、他の様々な圧迫衣類および／または他の衣類を利用することができる。例示的一実施形態において、圧迫ストッキング５０は、肢体開口部５２、かかと部５４、および閉じられたつま先５６を具備する。
【００２９】
肢体に据え付ける用意ができた適切な圧迫衣類／スリーブ・アセンブリを形成するために、圧迫ストッキング５０をスリーブ１０の「周りに巻く」ことができる。次に、図４〜図９を参照すると、例示的一実施形態において、圧迫ストッキング５０の肢体開口部５２はポール２６を覆って摺動する。圧迫ストッキング５０は、（例えば、図５に示すように）つま先５６がポール２６のうちのベース・ユニット２８の反対側の端部にぶつかるまで摺動する。さらに、例えば圧迫ストッキング５０がつま先の開いたストッキングの場合には、圧迫ストッキング５０を任意の所望の位置に摺動させることもできる。理解できるように、ポール２６なしで、腕、脚、または他の適切な延長部分および／または突出部分を利用して、ポール２６の機能と同様の機能が提供される。
【００３０】
例示的一実施形態において、スリーブ１０の第２の開口部１４が、（例えば、図６に示すように）ポール２６のうちのベース・ユニット２８の反対側に配置される。スリーブ１０がポール２６に沿って下方にスライドするときは、材料２２は事実上ポール２６に沿って動くことはない。そうではなく、材料２２が外転し（例えば、「裏返し」になり）、それにより、内面１６はポール２６に対して概して静止したままであり、第２の開口部１４において外転して外面１８になり、外面１８は第１の開口部１２において内面１６になる。図６に示すように、大きい矢印４４は、ポール２６に沿った下方へのスリーブ１０の動きを示し、小さい矢印４６は、可撓性材料２２の連続したフィルムの動きを示す。様々な例示的実施形態において、通路２０の直径は、こうした動きを容易にするためにポール２６の直径に等しいかまたはそれよりも小さい。
【００３１】
一時的に図７を参照すると、例示的一実施形態において、圧迫ストッキング５０をスリーブ１０の「周りに巻き付ける」ことができる。例えば、スリーブ１０の第２の開口部１４がストッキング５０の肢体開口部５２に到達すると、ユーザ３２は、開口部５２を引っ張ってスリーブ１０の外面１８に接触させることができる。一時的に図８を参照すると、肢体開口部５２がスリーブ１０を覆うように伸ばされると、肢体開口部５２は持ち上げられる。これにより、上記で説明したように、外転プロセスによって、反対方向に動作して、スリーブ１０がポール２６に沿って上に移動する。スリーブ１０がポール２６に沿って上向きに外転すると、圧迫ストッキング５０はスリーブ１０の周りに巻き付く。肢体開口部５２がスリーブ１０の第１の開口部１２に到達すると、（例えば、図９に示すように）肢体開口部５２を内面１６に折り込むことができる。
【００３２】
続けて図９を参照すると、例示的一実施形態において、肢体開口部５２が内面１６内に折り込まれると、ユーザ３２はストラップ４０を把持し持ち上げる力を加えることができる。あるいは、ユーザ３２は、手作業で上向きにスリーブ１０をスライドさせることができる。その力に応答して、圧迫ストッキング５０は、ポール２６から取り外されるまで内面１６および１８の周りで外転する。この点で、ストッキングのつま先５６は、スリーブ１０の第１の開口部１２をカバーし、組み合わせたスリーブ／ストッキング・アセンブリはポール２６から外れる。このとき、スリーブ／ストッキング・アセンブリは、肢体への圧迫ストッキング５０の単純な据え付けを容易にするのに所望の構成である。さらに、このプロセスによって圧迫ストッキング５０が収容される回転または外転の回数は、外転プロセスにおいて圧迫ストッキング５０が折り込まれる位置を変更することができる。
【００３３】
様々な例示的実施形態において、スリーブ１０および圧迫ストッキング５０は、別々に構成してもよい。他の例示的実施形態において、スリーブ１０および圧迫ストッキング５０は、例えば上記で説明したように巻き上げ式スリーブ／ストッキング・アセンブリとして一緒に事前構成し、次いで、ユニットとして消費者、医療専門家、および／または同様の人に提供することができる。
【００３４】
様々な例示的実施形態において、巻き上げ式スリーブ／ストッキング・アセンブリを利用して、圧迫衣類を肢体に装着しかつ／または圧迫衣類を肢体から除去することができる。概略的に述べると、スリーブ１０は、圧迫衣類を肢体上で「転がし」（すなわち、「着用し」）かつ／または圧迫衣類を肢体から「展開する」（すなわち、「脱衣する」）のを容易にすると考えることができる。次に、図１０〜図１３を参照すると、例示的一実施形態において、圧迫ストッキング５０を肢体、例えば肢体６０に装着することができる。圧迫ストッキング５０を看護師、理学療法士、または他の介護者によって装着することができるか、あるいは、圧迫ストッキング５０を患者によって装着することができる。圧迫ストッキング５０を装着するために、ユーザ３２は、（例えば、図１０に示すように）ストッキングのつま先５６が患者の肢体６０のつま先６２を覆うように第１の開口部１２を配置する。次いで、ユーザ３２は、（例えば、図１１に示すように）スリーブ１０を肢体６０に沿って上に転がすことができる。スリーブ１０が肢体６０に沿って上に転がされると、内面１６および外面１８が外転して、圧迫ストッキング５０がスリーブ１０から外れ、（例えば、図１２および図１３に示すように）肢体６０を囲む。スリーブ１０が十分に外転すると、それにより、肢体開口部５２および第２の開口部１４が接し、（例えば、図１３に示すように）肢体開口部５２がスリーブ１０から外れる。この点では、スリーブ１０を肢体６０に沿って下向きに元通りに転がして、（例えば、図１４に示すように）肢体６０を圧迫ストッキング５０でカバーすることができる。
【００３５】
様々な例示的実施形態において、着用するプロセスを事実上逆に行うことによって圧迫ストッキング５０の脱衣を実現することができる。例示的一実施形態において、圧迫ストッキング５０が肢体上で定位置にあるときは、その圧迫ストッキング５０を以下のようにして肢体から除去することができる。（例えば、図１４に示すように）スリーブ１０を肢体６０に沿って上方向に転がす。第２の開口部１４および肢体開口部５２が接したら、（例えば、図１２および図１３に示すように）肢体開口部５２を伸ばして外面１８のうちの第２の開口部１４に隣接する部分をカバーする。次に、肢体開口部５２が定位置にあるときに、（例えば、図１１に示すように）スリーブ１０を肢体６０に沿って下方向に元通りに転がし、次いで、（例えば、図１０に示すように）肢体６０から完全に除去する。この点で、スリーブ１０および圧迫ストッキング５０を、再度、肢体上に再着用する準備ができた望ましい巻き上げ式スリーブ／ストッキング・アセンブリにすることができる。
【００３６】
様々な例示的実施形態において、スリーブ１０および圧迫ストッキング５０を分離するのが望ましい場合は、ポール２６を利用することができる。さらに、単につま先５６を掴み次にスリーブ１０を離す方が単純なことがある。そのときにスリーブ１０の重さが圧迫ストッキング５０をスリーブ１０周りから展開するように作用することが可能である。
【００３７】
衣類、例えば圧迫衣類を着用および／または脱衣する際に使用するのに加えて、スリーブ１０を様々な医療手技および／または治療に関連して望ましく利用することができる。例えば、様々な例示的実施形態において、浮腫の管理および／またはうっ血の治療に関連してスリーブ１０を利用することができる。通常、理学療法士は、流体を組織に戻すように手でマッサージすることによって浮腫または腫脹のある患者を治療することが多い。対照的に、例示的一実施形態においては、理学療法士または他の介護者は、スリーブ１０を利用して、例えば、患者の手を覆うようにスリーブ１０を配置し、次いで、スリーブ１０を患者の腕に沿ってゆっくりと転がしながらスリーブ１０を絞ることによって浮腫を治療することができる。治療者個人は手のサイズや強さが様々なので、スリーブ１０を利用することで、力を標準化して統制するという第１の利点がもたらされる。さらに、治療者が加えられた力を解放し、第１のスリーブ１０を定位置にロックしおよび／または定位置に留まらせる別のスリーブ１０に交換できる点で、静止のバリエーションである第２の利点も可能になる。様々なスリーブ１０は、肢体への圧力に変化をつけるという面で第３の利点をもたらすために、ショア硬さおよび／または流動性を変更できるようになっている。
【００３８】
同様に、様々な例示的実施形態において、スリーブ１０をうっ血の治療のために利用することもできる。例えば手や腕の浮腫を治療するうっ血の治療のための一般的な技法には、介護者が一方の手で患部の手を保持し、次いで介護者の他方の手を使用して患者の手首をつかむことが含まれる。次いで、介護者は、こうしたゆるいグリップを患者の腕に沿って上方向にゆっくりと摺動させることによって、浮腫を取り除くように繰り返し「絞る」。対照的に、例示的一実施形態において、介護者は１つまたは複数のスリーブ１０、例えば２つのスリーブ１０を利用して、浮腫を取り除くように「絞る」ことを容易にし、介護者のグリップで患者の腕に沿って上方向に摺動することができる。
【００３９】
特定の例示的実施形態において、治療的マッサージ、リラクゼーション・マッサージ、および／または同様のものに関連してスリーブ１０を利用することができる。マッサージに関連して利用するときは、機能を強化し、血流を刺激し、かつ／またはリラクゼーションを促進するために、スリーブ１０を利用して、皮膚、筋肉、結合組織、リンパ管、および／または他の任意の適切な体の部分に圧縮力を与えることができる。マッサージに関連してスリーブ１０を利用するときは、所望の結果を強化するためにスリーブ１０を加熱および／または冷却することができる。さらに、マッサージに関連してスリーブ１０を利用するときは、例えば所望の圧力、触知できる刺激、または他の生理学的細工もしくは刺激をマッサージされる患者に与えるために、スリーブ１０は、様々な構造、外部コーティング、テクスチャ、および／または形状的な特徴を有する構成にすることができる。
【００４０】
様々な例示的実施形態において、温湿布および／または冷湿布として使用するのに適した材料でスリーブ１０を少なくとも部分的に充填することができる。このようにして、スリーブ１０を利用して、例えば打撲、腫脹、および／または同様のものを治療するために患部に温熱療法および／または寒冷療法を施すことができる。さらに、例えば治療用の温熱および／または冷熱の対象領域への伝達を容易にするために、スカート１０３を利用してスリーブ１０を所望の位置に維持することができる。
【００４１】
様々な例示的実施形態において、スリーブ１０は、ライン２４のない滑らかな面を有する構成になっている。これらの実施形態では、スリーブ１０は、第１の摩擦係数を有する特定の部分と、第１の摩擦係数とは異なる第２の摩擦係数を有する他の部分とを具備することができる。さらに、様々な例示的実施形態において、摩擦を増大させるかまたは摩擦を低下させるように構成された、追加の材料、布、コーティング、および／または仕上げでスリーブ１０をカバーすることができる。このようにして、所望に応じて変動する摩擦および／または材料の特徴を有する様々な圧迫衣類との適切なインターフェースとなるようにスリーブ１０を構成することができる。
【００４２】
特定の例示的実施形態において、スリーブ１０は、スリーブ１０がアコーディオン状に拡大および／または収縮できるように構成された様々な溝、ジグザグ、および／または他の表面形状を有する構成にすることができる。スリーブ１０を拡大して構成することによって、スリーブ１０は、圧迫衣類５０のつま先領域を圧迫するのにさらに適していることがあるが、やはり脚の上側部分など肢体の上側部分に関連したより大きい外周の回りに外転するのに十分に拡大することができる。
【００４３】
様々な例示的実施形態において、スリーブ１０を、圧迫衣類５０の近位面と一体にしかつ／またはそれに直接組み込むことができる。圧迫衣類５０を着用および／または脱衣するときは、外転プロセスを容易にするためにスリーブ１０をまず流体で充填することができる。次いで、例えば、患者が圧迫衣類５０を着ている間に、または圧迫衣類５０が肢体から除去された後で、スリーブ１０から排出することができる。さらに、圧迫衣類５０に組み込まれているときは、スリーブ１０は、圧迫衣類５０の近位面に組み込まれたシート状のゲルを具備することができる。圧迫衣類５０を脱衣するときに、シート状のゲルを圧迫衣類５０と共にかつその周りで巻き、その結果、別個のスリーブ１０で実現できるように流動性と衣類の重ね着との同様の組み合わせが生じる。例えば、着用および脱衣を助けるために、シート状ゲルを流体で充填および／または排出して、特定の肢体と圧迫衣類に対する比についてのサイズ要件をおよび／または同様の要件を改善することもできる。
【００４４】
本明細書で開示する様々な例示的実施形態において、スリーブ１０は圧迫衣類５０と共に使用するように構成されている。より概略的に言うと、スリーブ１０を、外転プロセスによって任意の適切な概して管状の材料をある表面に運ぶように構成することができる。したがって、スリーブ１０を、任意の適切な形でサイズ設定、形成、および／または構成することができ、肢体を覆うように圧迫衣類を運ぶことに関する例を、限定ではなく例示として提示している。
【００４５】
さらに他の様々な例示的実施形態において、スリーブ１０を様々な産業用プロセスおよび装置において利用することができる。例えば、（ｉ）材料の運搬が保証されるときは、材料を管状または他の不整形状になるように接着または貼付することに関連してスリーブ１０を利用することができる。さらに、（ｉｉ）スリーブ１０が収容されているときは、強力なベアリング機構として機能することができる。さらに他には、（ｉｉｉ）ストラップ機構と共に利用するときは、スリーブ１０は、牽引および／または捕捉に優れた往復搬送機構を供給する。例えば、外側で転がすことでスリーブ１０を肢体または物体上で運ぶことができるが、ストラップが内側から引っ張られるとスリーブ１０が結果として引っ張りの方向とは反対に力を発生させて、肢体または物体から除去されるのに抵抗する。さらに、（ｉｖ）ある構造に収容されているときに、その構造の枠の互いに反対側の端部にスリーブ１０の２つの開口部があり、その構造の一部分を他の部分に対して移動させる場合に、スリーブ１０は吸引カップに対抗する把持力を生み出す。スリーブ１０は、物体を把持、保持、または移動するために産業上使用することもでき、吸引をベースとした把持が非現実的および／または不可能である場合に不整の物体を把持するのに特に良く適したものにすることができる。
【００４６】
例示的一実施形態において、肢体を覆うように圧迫衣類を着用する方法が、第１の開口部、第２の開口部、内面、および外面を有するスリーブを用意するステップであって、第１の開口部、内面、および第２の開口部が協働して肢体のためのスリーブを通る通路を画定し、内面および外面が、連続する可撓性材料から形成されそれによって画定される、ステップと、内面および外面から外側に延在する長手方向に連続しかつ平行な隆起ラインを複数設けるステップと、可撓性材料から形成された連続フィルム内に流体を供給するステップであって、その流体が水、水溶液、油、空気、フォーム、ウレタン、シリコン、石鹸、または潤滑剤のうちの少なくとも１つを含む、ステップと、少なくとも１つの開口部をその一端部に有する圧迫衣類を用意するステップと、ある面から延在するポールを用意するステップであって、そのポールが、通路の直径に等しいかまたはそれよりも小さい直径を有する、ステップと、ストラップを用意し、そのストラップをポールのうちのその面の反対側の部分に心合わせするステップであって、そのストラップが、ストラップの両端がその面に到達するのに十分に長い、ステップと、吸引デバイスをポールの一端部に設けるステップであって、その吸引デバイスが、ポールをその面に着脱可能に貼付するように適合される、ステップと、圧迫衣類がポールを覆うように完全に延在するまでポールを覆って少なくとも１つの開口部を摺動させるステップと、第２の開口部をポールのうちのその面の反対側に配置するステップと、ポールを覆うようにスリーブをスライドさせ、それにより、内面が第２の開口部において外面になり外面が第１の開口部において内面になるように、連続する可撓性材料を外転させるステップと、スリーブが少なくとも１つの開口部に到達するときに、少なくとも１つの開口部を引っ張って、第２の開口部において外面に接触させるステップと、スリーブをその面から離れる方に持ち上げ、それにより、内面が第２の開口部において外面になり外面が第１の開口部において内面になるように、連続する可撓性材料を外転させるステップと、ポールから離れるように圧迫衣類を外転させるときに、少なくとも１つの開口部（および／またはより少ない外転が望ましい圧迫衣類の任意の高さ）を第１の開口部中に折り込むステップと、ストラップの端部を把持し、ポールから離れる方に持ち上げて、ポールから完全に除去されるまで圧迫衣類を外転させ、圧迫衣類のうちの少なくとも１つの開口部の反対側の端部が第１の開口部に接する、ステップと、患者の肢体を覆うように第１の開口部を配置するステップと、スリーブを患者の肢体に沿って上に転がし、それにより、内面および外面が外転し、それにより、圧迫衣類を肢体上に残すステップと、少なくとも１つの開口部を第２の開口部から外すステップと、肢体から除去されるまで肢体に沿って下にスリーブを元通りに転がすステップとを含む。
【００４７】
別の例示的実施形態において、圧迫衣類を肢体から脱衣する方法が、第１の開口部、第２の開口部、内面、および外面を有するスリーブを用意するステップであって、第１の開口部、内面、および第２の開口部が協働して肢体のためのスリーブを通る通路を画定し、内面および外面が、連続する可撓性材料から形成されそれによって画定される、ステップと、内面および外面から外側に延在する長手方向に連続しかつ平行な隆起ラインを複数設けるステップと、連続する可撓性材料内に流体を供給するステップであって、流体が、水、水溶液、油、空気、フォーム、ウレタン、またはシリコンのうちの少なくとも１つを含む、ステップと、圧迫衣類が肢体を覆うように完全に延在するまで肢体を覆うように少なくとも１つの開口部を摺動させるステップと、第１の開口部を肢体に配置するステップと、肢体を覆うようにスリーブをスライドさせ、それにより、内面が第１の開口部において外面になり外面が第２の開口部において内面になるように、連続する可撓性材料を外転させるステップと、スリーブが少なくとも１つの開口部に到達するときに、少なくとも１つの開口部を引っ張って、第１の開口部の外面に接触させるステップと、肢体から離れるように圧迫衣類を外転させるときに、少なくとも１つの開口部を第２の開口部中に折り込むステップと、スリーブをその面から離れる方に持ち上げ、それにより、内面が第２の開口部において外面になり外面が第１の開口部において内面になるように、連続する可撓性材料を外転させ、圧迫衣類が肢体から完全に除去されるまでこの持ち上げステップが継続し、圧迫衣類のうちの少なくとも１つの開口部の反対側の端部が第２の開口部に接する、ステップとを含む。その方法はさらに、圧迫衣類をスリーブから外すステップ含むことができる。
【００４８】
別の例示的実施形態において、肢体を覆うように圧迫衣類を着用および脱衣する方法が、第１の開口部、第２の開口部、内面、および外面を有するスリーブを用意するステップであって、第１の開口部、内面、および第２の開口部が協働して肢体のためのスリーブを通る通路を画定し、内面および外面が、連続する可撓性材料から形成されそれによって画定される、ステップと、内面および外面から外側に延在する長手方向に連続しかつ平行な隆起ラインを複数設けるステップと、連続する可撓性材料内に流体を供給するステップであって、流体が、水、水溶液、油、空気、フォーム、ウレタン、またはシリコンのうちの少なくとも１つを含む、ステップと、少なくとも１つの開口部をその一端部に有する圧迫衣類を用意するステップと、ある面から延在するポールを用意するステップであって、ポールが通路の直径に等しいかまたはそれよりも小さい直径を有する、ステップと、ストラップを用意し、そのストラップをポールのうちのその面の反対側の部分に心合わせするステップであって、そのストラップが、ストラップの両端がその面に到達するのに十分に長い、ステップと、吸引デバイスをポールの一端部に設けるステップであって、その吸引デバイスが、ポールをその面に着脱可能に貼付するように適合される、ステップと、圧迫衣類がポールを覆うように完全に延在するまでポールを覆って少なくとも１つの開口部を摺動させるステップと、第２の開口部をポールのうちのその面の反対側に配置するステップと、ポールを覆うようにスリーブを摺動させ、それにより、内面が第２の開口部において外面になり外面が第１の開口部において内面になるように、連続する可撓性材料を外転させるステップと、スリーブが少なくとも１つの開口部に到達するときに、少なくとも１つの開口部を引っ張って、第２の開口部において外面に接触させるステップと、スリーブをその面から離れる方に持ち上げ、それにより、内面が第１の開口部において外面になり外面が第２の開口部において内面になるように連続するフィルムの可撓性材料を外転させるステップと、ポールから離れるように圧迫衣類を外転させるときに、少なくとも１つの開口部を第１の開口部中に折り込むステップと、ストラップの端部を把持し、ポールから離れる方に持ち上げ、それにより、ポールから完全に除去されるまで圧迫衣類を外転させ、圧迫衣類のうちの少なくとも１つの開口部の反対側の端部が第１の開口部に接する、ステップと、患者の肢体を覆うように第１の開口部を配置するステップと、スリーブを患者の肢体に沿って上に転がし、それにより、内面および外面が外転し、それにより、圧迫衣類を肢体上に残すステップと、少なくとも１つの開口部を第２の開口部から外すステップと、肢体から除去されるまで肢体に沿って下にスリーブを元通りに転がすステップと、圧迫衣類が肢体を覆うように完全に延在するまで肢体を覆うように少なくとも１つの開口部を摺動させるステップと、肢体上に第１の開口部を配置するステップと、肢体を覆うようにスリーブをスライドさせ、それにより、内面が第１の開口部において外面になり外面が第２の開口部において内面になるように、連続する可撓性材料を外転させるステップと、スリーブが少なくとも１つの開口部に到達するときに、少なくとも１つの開口部を引っ張って、第１の開口部において外面に接触させるステップと、肢体から離れるように圧迫衣類を外転させるときに、少なくとも１つの開口部を第２の開口部中に折り込むステップと、スリーブをその面から離れる方に持ち上げ、それにより、内面が第２の開口部において外面になり外面が第１の開口部において内面になるように、連続する可撓性材料を外転させ、圧迫衣類が肢体から完全に除去されるまでこの持ち上げステップが継続し、圧迫衣類のうちの少なくとも１つの開口部の反対側の端部が第２の開口部に接する、ステップと、圧迫衣類をスリーブから外すステップとを含む。
【００４９】
別の例示的実施形態において、肢体を覆うように圧迫衣類を着用および脱衣する方法が、第１の開口部、第２の開口部、内面、および外面を有するスリーブを用意するステップであって、第１の開口部、内面、および第２の開口部が協働して肢体のためのスリーブを通る通路を画定し、内面および外面が、連続する可撓性材料から形成されそれによって画定される、ステップと、少なくとも１つの開口部をその一端部に有する圧迫衣類を用意するステップと、ある面から延在するポールを用意するステップであって、そのポールが、通路の直径に等しいかまたはそれよりも小さい直径を有する、ステップと、圧迫衣類がポールを覆うように完全に延在するまでポールを覆って少なくとも１つの開口部を摺動させるステップと、第２の開口部をポールのうちのその面の反対側に配置するステップと、ポールを覆うようにスリーブを摺動させ、それにより、内面が第２の開口部において外面になり外面が第１の開口部において内面になるように、連続する可撓性材料を外転させるステップと、スリーブが少なくとも１つの開口部に到達するときに、少なくとも１つの開口部を引っ張って、第２の開口部において外面に接触させるステップと、スリーブをその面から離れる方に持ち上げ、それにより、内面が第１の開口部において外面になり外面が第２の開口部において内面になるように、連続する可撓性材料を外転させるステップであって、圧迫衣類が完全にポールから除去されるまで前記持ち上げるステップが継続し、圧迫衣類のうちの少なくとも１つの開口部の反対側の端部が第１の開口部に接する、ステップと、患者の肢体を覆うように第１の開口部を配置するステップと、スリーブを患者の肢体に沿って上に転がし、それにより、内面および外面が外転し、それにより、圧迫衣類を肢体上に残すステップと、少なくとも１つの開口部を第２の開口部から外すステップと、肢体から除去されるまで肢体に沿って下にスリーブを元通りに転がすステップと、圧迫衣類が肢体を覆うように完全に延在するまで肢体を覆うように少なくとも１つの開口部を摺動させるステップと、肢体上に第１の開口部を配置するステップと、肢体を覆うようにスリーブをスライドさせ、それにより、内面が第１の開口部において外面になり外面が第２の開口部において内面になるように、連続する可撓性材料を外転させるステップと、スリーブが少なくとも１つの開口部に到達するときに、少なくとも１つの開口部を引っ張って、第１の開口部において外面に接触させるステップと、スリーブをその面から離れる方に持ち上げ、それにより、内面が第２の開口部において外面になり外面が第１の開口部において内面になるように、連続する可撓性材料を外転させ、圧迫衣類が肢体から完全に除去されるまでこの持ち上げステップが継続し、圧迫衣類のうちの少なくとも１つの開口部の反対側の端部が第２の開口部に接する、ステップとを含む。
【００５０】
本開示の原理を様々な実施形態で示してきたが、構造、配置、均衡、要素、材料、および構成要素の多くの改変形態が実際に用いられており、特定の環境および動作要件に特に適合している改変形態を本開示の原理および範囲から逸脱することなしに用いることができる。これらのおよび他の変更または改変は、本開示の範囲内に包含されるものであり、以下の請求項で表現することができる。
【００５１】
前述の明細書では、様々な実施形態を参照しながら本開示を説明してきた。しかし、本開示の範囲から逸脱することなく様々な改変および変更を行うことができると当業者は理解する。したがって、この明細書は限定的な意味ではなく例示と見なすべきであり、こうした改変形体は全て本開示の範囲内に包含されるものである。同様に、利益、他の利点、および問題の解決策を様々な実施形態に関して上記で説明してきた。しかし、何らかの利益、利点、または解決策を思いつくかまたは明白にすることができる利益、利点、問題の解決策、および（１つまたは複数の）任意の要素は、請求項のいずれかまたは全ての重大な、必要な、または本質的な特徴または要素と解釈すべきではない。本明細書で用いるように、用語「ｃｏｍｐｒｉｓｅｓ（具備する）」、「ｃｏｍｐｒｉｓｉｎｇ（具備する）」、または他の任意のその変形体は、非排他的な包含をカバーし、要素のリストを含むプロセス、方法、物品、または装置がそれらの要素を含むだけでなく、明示的に列挙されていないかまたはこうしたプロセス、方法、物品、または装置に固有の他の要素を含むことができるものである。さらに、本明細書で用いるように、用語「ｃｏｕｐｌｅｄ（結合される）」、「ｃｏｕｐｌｉｎｇ（結合する）」または他の任意のその変形体は、物理的接続、電気接続、磁気による接続、光学的接続、通信上の接続、機能上の接続、および／または他の任意の接続をカバーするものである。「ａｔ  ｌｅａｓｔ  ｏｎｅ  ｏｆ  Ａ，  Ｂ，  ｏｒ  Ｃ（Ａ、Ｂ、またはＣのうちの少なくとも１つ）」と同様の言葉が請求項に用いられるときは、そのフレーズは、（１）Ａのうちの少なくとも１つ、（２）Ｂのうちの少なくとも１つ、（３）Ｃのうちの少なくとも１つ、（４）Ａのうちの少なくとも１つおよびＢのうちの少なくとも１つ、（５）Ｂのうちの少なくとも１つおよびＣのうちの少なくとも１つ（６）Ａのうちの少なくとも１つおよびＣのうちの少なくとも１つ、または（７）Ａのうちの少なくとも１つ、Ｂのうちの少なくとも１つ、およびＣのうちの少なくとも１つの中の任意のものを意味することが意図される。
【図１】
0005865259.tif 000002
【図２】
0005865259.tif 000003
【図３】
0005865259.tif 000004
【図４】
0005865259.tif 000005
【図５】
0005865259.tif 000006
【図６】
0005865259.tif 000007
【図７】
0005865259.tif 000008
【図８】
0005865259.tif 000009
【図９】
0005865259.tif 000010
【図１０】
0005865259.tif 000011
【図１１】
0005865259.tif 000012
【図１２】
0005865259.tif 000013
【図１３】
0005865259.tif 000014
【図１４】
0005865259.tif 000015
【図１５】
0005865259.tif 000016
【図１６】
0005865259.tif 000017